(57)【要約】【課題】  ダメージジーンズの製法に関し、三種類の工具を利用する方法がある。１．ナイロンブラシで毛羽立て、２．ワイドブラシでダメージ感を表徴し、３、グラインダで最終仕上げする方法であって、それぞれの工程を適宜選択、又は場合により繰返して、ダメージパンツとする。ダメージが主体であって、従来の範疇であり、変化が少ないこと、又は需要を喚起するには至っていない。【解決手段】  本発明は、１．生地に文字やイラストを下書きする、２．電動リューター又はサンドペーパーの何れかの工具で、下書き部分を剥離、又は削り、削り糸の部位を形成する、３．削り糸をバーナーその他の炎の何れかの操作で焼失する、４．焼失糸をたわしで除去し、焼失した箇所にダメージ感を与え、下書きを明確にしたダメージを表徴する工程を含むダメージ衣服の製法で、ダメージ衣服の高品質化と、需要者の趣向を満足できる。【選択図】      図９
2018028160.tif 000002
【特許請求の範囲】
【請求項１】
１．  生地に、文字やイラストを下書きする工程と、
２．  電動リューター、又はサンドペーパーの何れかの工具で、前記下書き部分において、剥離、又は削りの何れかの操作により下書き範囲内の糸を削り、削り糸の部位を形成する工程と、
３．  削り糸を、バーナー、その他の炎の何れかの操作で、焼失する工程と、
４．  焼失した糸を、ブラシやたわしを用いて除去し、焼失した箇所にダメージ感を与え、前記下書きを明確に表徴する工程と、
５．  表徴された下書きに、自然素材、例えば草花、木片、炭、野菜、果物の何れかの自然素材の煮汁や、しぼり汁で着色する工程と、
を含む、ダメージを表徴するように構成したダメージ衣服の製法。
【請求項２】
前記１．〜５．の工程を、数回、繰り返して、前記衣服の全体に、ダメージを表徴する構成とした請求項１に記載のダメージ衣服の製法。
【請求項３】
前記１．〜５．の工程を、適宜、選択し、この選択した工程を、一回、又は数回、繰り返して、前記衣服に、ダメージを表徴する構成とした請求項１に記載のダメージ衣服の製法。
【請求項４】
１．  生地に、文字やイラストを下書きする工程と、
２．  電動リューター、又はサンドペーパーの何れかの工具で、前記下書き部分において、剥離、又は削りの何れかの操作により下書き範囲内の糸を削り、削り糸の部位を形成する工程と、
３．  削り糸を、バーナー、その他の炎の何れかの操作で、焼失する工程と、
４．  焼失した糸を、ブラシやたわしを用いて除去し、焼失した箇所にダメージ感を与え、前記下書きを明確に表徴する工程と、
５．  表徴された下書きに、自然素材、例えば草花、木片、炭、野菜、果物の何れかの自然素材の煮汁や、しぼり汁で着色する工程と、
６．  着色した衣服の仕上げとして、粗しおでもみ洗いを施し、色落ちを防ぐ工程と、
を含む、ダメージを表徴するように構成したダメージ衣服の製法。
【請求項５】
前記１．〜６．の工程を、数回、繰り返して、前記衣服の全体に、ダメージを表徴する構成とした請求項４に記載のダメージ衣服の製法。
【請求項６】
前記１．〜６．の工程を、適宜、選択し、この選択した工程を、一回、又は数回、繰り返して、前記衣服に、ダメージを表徴する構成とした請求項４に記載のダメージ衣服の製法。
【発明の詳細な説明】
【技術分野】
【０００１】
本発明は、ジーンズ等の衣服の適宜箇所に、ダメージを表徴するダメージ衣服の製法に関する。
【背景技術】
【０００２】
ジーンズのダメージ衣服、殊に、スラックスに関しては、種々の製品と、その製法が提案されている。例えば、三種類の工具を利用する方法がある。（１）  ナイロンブラシで毛羽立て、（２）  ワイドブラシでダメージ感を表徴し、（３）  グラインダで最終仕上げする方法であって、それぞれの工程を、適宜、選択、又は場合により、繰返して、希望するダメージ衣服を製法する。この実施例は、ダメージが主体であって、従来の範疇であり、変化が少ないこと、又は需要を喚起するまでには至っていなことが考えられる。
【０００３】
そして、関連する文献としては、次に挙げられる。
【０００４】
特開２０１３−２４１６８８号公報に記載の発明がある（文献１．とする）。この発明は、ジーンズパンツ（ズボン）に、ダメージ図柄を開口した型板をセットし、ダメージ図柄に沿って、金ブラシで摩擦処理を行い、希望するダメージを表徴する構造である。
【０００５】
また、実用新案登録第３１２１６６１号公報に記載の考案がある（文献２．とする）。この考案は、ジーンズパンツに、高温プレートで焦げ目のダメージ図柄を作成し、ダメージ図柄に沿って、仕上げ処理を行い、希望するダメージを表徴する構造である。
【０００６】
【特許文献１】特開２０１３−２４１６８８号公報
【特許文献２】実用新案登録第３１２１６６１号公報
【発明の概要】
【発明が解決しようとする課題】
【０００７】
前述した文献１．においては、従来から実施されている製法に使用するに最適な型板の提供であり、ダメージ衣服の製法に関する全体を改良、又は工夫した発明とは、考えられない。また、文献２．においては、簡易な手段によるダメージ衣服の製法であって、品質の向上とか、需要者の好むダメージ衣服を製造するためのものではない。
【０００８】
上記に鑑み、本発明は、ダメージ衣服の高品質化と、需要者の趣向を満喫できるダメージ衣服の製法を提供することと、高度の経験を要さずダメージ衣服を製造できる製法の提供とを意図する。また、着色と粗しお処理を行うことで、色落ち、及び／又は、劣化防止と華やかさを満喫できるダメージ衣服の製法の提供を意図する。
【課題を解決するための手段】
【０００９】
前述した、本発明の意図を達成するために、請求項１〜請求項６を提案する。
【発明の効果】
【００１０】
請求項１の発明では、
１．  生地に、文字やイラストを下書きする工程と、
２．  電動リューター、又はサンドペーパーの何れかの工具で、下書き部分において、剥離、又は削りの何れかの操作により下書き範囲内の糸を削る糸を削り、削り糸の部位を形成する（彫刻する）工程と、
３．  削り糸を、バーナー、その他の炎の何れかの操作で、焼失する工程と、
４．  焼失した糸を、ブラシやたわしを用いて除去し、焼失した箇所にダメージ感を与え、下書きを明確に表徴する工程と、
５．  表徴された下書きに、自然素材、例えば草花、木片、炭、野菜、果物の何れかの自然素材の煮汁や、しぼり汁で着色する工程と、でダメージを表徴するダメージ衣服の製法である。
【００１１】
これによって、請求項１では、ダメージ衣服の高品質化と、需要者が趣向を満喫できるダメージ衣服の製法の提供と、高度の経験を要さずダメージ衣服を製造できる製法の提供と、が図れる。
【００１２】
請求項２の発明は、１．〜５．の工程を、数回、繰り返して、衣服の全体に、ダメージを表徴するダメージ衣服の製法である。
【００１３】
これによって、請求項２では、各工程を何度も、繰返して実施でき、今までにない、全く新規なジーンズパンツを提供できることと、安心して手直しできること、併せて、需要者の満足度の向上に寄与できる。また、請求項１の効果が図れる。
【００１４】
請求項３の発明では、１．〜５．の工程を、適宜、選択し、選択した工程を、一回、又は数回、繰り返して、衣服に、ダメージを表徴するダメージ衣服の製法である。
【００１５】
これによって、請求項３では、各工程を何度も、繰返し、かつ各工程を自由に選択して実施でき、今までには全くない、全てに新規なジーンズパンツを提供できることと、安心、かつ希望を叶えるように手直しできること、併せて、需要者の満足度の向上に寄与できる。また、請求項１の効果が図れる。
【００１６】
請求項４の発明では、
１．  生地に、文字やイラストを下書きする工程と、
２．  電動リューター、又はサンドペーパーの何れかの工具で、下書き部分において、剥離、又は削りの何れかの操作により下書き範囲内の糸を削り、削り糸の部位を形成する（彫刻する）工程と、
３．  削り糸を、バーナー、その他の炎の何れかの操作で、焼失する工程と、
４．  焼失した糸を、ブラシやたわしを用いて除去し、焼失した箇所にダメージ感を与え、下書きを明確に表徴する工程と、
５．  表徴された下書きに、自然素材、例えば草花、木片、炭、野菜、果物の何れかの自然素材の煮汁や、しぼり汁で着色する工程と、
６．  着色した衣服の仕上げとして、粗しおでもみ洗いを施し、色落ちを防ぐ工程と、でダメージを表徴するダメージ衣服の製法である。
【００１７】
これによって、請求項４では、ダメージ衣服の高品質化と、需要者が趣向を満喫できるダメージ衣服の製法の提供と、高度の経験を要さずダメージ衣服を製造できる製法の提供と、が図れる。また、着色と粗しお処理を行うことで、色落ち、及び／又は、劣化防止と華やかさを満喫できるダメージ衣服の製法の提供が図れる。
【００１８】
請求項５の発明は、１．〜６．の工程を、数回、繰り返して、衣服の全体に、ダメージを表徴するダメージ衣服の製法である。
【００１９】
これによって、請求項５では、各工程を何度も、繰返して実施でき、今までにない、全く新規なジーンズパンツを提供できることと、安心して手直しできること、併せて、需要者の満足度の向上に寄与できる。また、請求項４の効果が図れる。
【００２０】
請求項６の発明では、１．〜６．の工程を、適宜、選択し、選択した工程を、一回、又は数回、繰り返して、衣服に、ダメージを表徴するダメージ衣服の製法である。
【００２１】
これによって、請求項６では、各工程を何度も、繰返し、かつ各工程を自由に選択して実施でき、今までには全くない、全てに新規なジーンズパンツを提供できることと、安心、かつ希望を叶えるように手直しできること、併せて、需要者の満足度の向上に寄与できる。また、請求項４の効果が図れる。
【図面の簡単な説明】
【００２２】
【図１】衣服（生地）の一部に、文字やイラストを下書きする工程を示した模式図
【図２】電動リューター、又はサンドペーパーの何れかの工具で、下書き部分において、剥離、又は削りの何れかの操作により下書き範囲内の糸（下書き範囲内の横糸、及び／又は、縦糸）を削り、削り糸とする（ダメージ該当部位を彫刻する）工程を示した模式図で、吹出し拡大図を付加した
【図３】削り糸（ダメージ該当部位）を、バーナー、その他の炎の何れかの操作で、焼失する工程を示した模式図
【図４】焼失した糸を、ブラシやたわしを用いて除去し、焼失した箇所にダメージ感を与え、前記下書きを明確に表徴する工程を示した模式図
【図５】図４の要部を拡大して示した模式図
【図６】表徴された下書きに、自然素材、例えば草花、木片、炭、野菜、果物の何れかの自然素材の煮汁や、しぼり汁で着色する工程を示した模式図
【図７】着色した衣服の仕上げとして、粗しおでもみ洗いを施し、色落ちを防ぐ工程を示した模式図で、吹出し拡大図を付加した
【図８】全ての工程が終了し、横糸が残り、かつダメージ（図柄）が表徴されている全体正面図
【図９】ダメージ（図柄）が表徴されているジーンズパンツの他の一例を示した全体正面図
【発明を実施するための形態】
【００２３】
以下、本発明の好ましい、一実施例を説明する。
【００２４】
図１は、衣服（生地）の一例であるジーンズパンツ衣服１（通常のジーンズパンツであり、ダメージ無しジーンズパンツ）の一部に、文字２やイラスト（図示せず）を、筆記具３で下書き５をする。
【００２５】
図２は、下書き５である文字２を、電動リューター、又はサンドペーパーの何れかの工具４で、削り（又は剥離）、例えば、文字２の横糸２００を削る。図示しないが、縦糸（符号なし）を削ることもあり得る。残った横糸２００で文字２が判別できることが必要である。尚、イラストにおいても同様である。また、仕上がりは、パンツ１００であり、体裁と、隠蔽性等が確保されることは必須である。尚、削り屑の飛散防止と、生地の素材、又は作業の容易性等を考慮して、パンツ衣服１の湿りを確保することも有り得る。また、文字２の画数とか書体等を考慮して、湿り具合を調整する等の手法を取り、文字２の正確性とか体裁、或いはイラスト性の確保を図る。また、必要により、パンツ衣服１の乾燥状態を確保し、この乾燥状態を利用して削りを行うことも可能である。特徴は、湿り具合の調整の際の削りと、同じ効果が期待できる。この削りは、イラスト、図柄、又は模様等の他の図柄においても、前記の文字２の所作が可能であり、その特徴も準ずる。前述した削りの所作は、彫刻の概念を含めた所作である。
【００２６】
図３は、削り所作で、表徴された横糸２００をさらに一目で解るようにするため（表現するため）に、削り糸６を、バーナー７、その他の炎の何れかの手段を利用し、焼失８する。この焼失８に際して、削り糸６（ダメージ該当部位の糸）の確実な焼失８とか、削り箇所の残り糸のほつれ防止と、併せて横糸２００の保護等を意図して、湿り具合の調整をする。湿り具合は、前述の削りと同じと考えればよい。
【００２７】
図４は、焼失した糸１０を、ブラシやたわし１１を用いて除去する。この際に、たわし１１の端片１１００を利用して、たわし１１を、小刻みに移動、又は繰返し移動し、焼失した糸１０を確実に排除するとともに、焼失した箇所にダメージ感１２を与え、表徴した文字２の横糸２００を明確にする。
【００２８】
そして、前記図２〜図４の作業を繰返し、所定のダメージＡ（図柄）の素地を形成する。ダメージＡの範囲が広くなるにしたがって、この繰返しが多くなり、しかもダメージＡの精度と美さを確保する。
【００２９】
図５は、図４に示した、焼失した箇所にダメージ感１２を与え、表徴した文字２の一部であって、この一部の横糸２００を、拡大して表示した模式図の一例である。
【００３０】
図６は、表徴した文字２の横糸２００に、自然素材、例えば草花、木片、炭、野菜、果物の何れかの自然素材の煮汁や、しぼり汁で着色１３する。着色１３は、図示の筆１５の他に、スプレーガン、その他の着色手段を利用する。
【００３１】
図８は、着色１３が終了し、仕上げ済であり、加工済のジーンズパンツ１ａである。その後は、製品検査し、最終製品のダメージを備えたジーンズパンツ１００(製品でありダメージパンツ)とする。横糸２００が残り、かつダメージＡが表徴されるダメージを備えたジーンズパンツ１００の一例を示してある。これによって、文字２の横糸２００（ダメージＡ）、又は着色１３とか、イラスト等の図柄（ダメージＡ）を、際立たせ、ダメージＡに立体感覚を付与できること、等の特徴が発揮できる。
【００３２】
尚、図７は、着色１３し、かつ加工済のジーンズパンツ１ａの仕上げとして、容器に載せた加工済のジーンズパンツ１ａに、粗しおでもみ洗い１６を施し、製品検査し、最終製品のダメージを備えたジーンズパンツ１００とする。これにより、色落ちを防ぐ特徴と、又は横糸２００、又は着色１３とか、イラスト等の図柄を一層、際立たせ、ダメージＡに立体感覚を付与できること、等の特徴が発揮できる。
【００３３】
図９は、粗しおでのもみ洗い１６が終了し、横糸２００が残り、かつダメージＡが表徴されるダメージを備えたジーンズパンツ１００の他の一例を示している。
【００３４】
前述した各実施例等は、本発明の好ましい一例の説明である。本発明は各実施例とか図面に限定されない。従って、発明の趣旨の範囲において構成の一部を変更する構造とか、同じ特徴と効果を達成できる構造、等は、本発明の範疇である。
【符号の説明】
【００３５】
１  ジーンズパンツ衣服（ジーンズパンツ）
１ａ  加工済のジーンズパンツ
１００  ダメージを備えたジーンズパンツ（ダメージ衣服）
２  文字
２００  横糸
３  筆記具
４  工具
５  下書き
６  削り糸
７  バーナー
８  焼失
１０  焼失した糸
１１  たわし
１１００  端片
１２  ダメージ感
１３  着色
１５  筆
１６  もみ洗い
Ａ  ダメージ
【図１】
2018028160.tif 000003
【図２】
2018028160.tif 000004
【図３】
2018028160.tif 000005
【図４】
2018028160.tif 000006
【図５】
2018028160.tif 000007
【図６】
2018028160.tif 000008
【図７】
2018028160.tif 000009
【図８】
2018028160.tif 000010
【図９】
2018028160.tif 000011